(57)【要約】【課題】所有者の意図しない状態においてキーロックを設定したり、解除したりされることがない携帯電話機を提供することを目的とする。【解決手段】操作キー、入力キーを有する操作入力手段４０を備えた携帯電話機において、携帯電話機は、携帯電話機本体の外側にタッチ面を有するタッチスイッチ６０と、キーロック制御部３５と、を備え、キーロック制御部３５は、タッチスイッチが操作されたことによる検出信号により、操作入力手段からの入力を無効にするキーロック設定のオン・オフを制御する。タッチスイッチ６０を第一タッチスイッチ６１、第二タッチスイッチ６２とで構成し、キーロック制御部３５はその操作順によってキーロック設定のオン・オフを制御するようにしてもよい。【選択図】図１
2008244743.tif 000002
【特許請求の範囲】
【請求項１】
操作キー、入力キーを有する操作入力手段を備えた携帯電話機において、
前記携帯電話機は、携帯電話機本体の外側にタッチ面を有するタッチスイッチと、キーロック制御部と、を備え、
前記キーロック制御部は、前記タッチスイッチが操作されたことによる検出信号により、前記操作入力手段からの入力を無効にするキーロック設定のオン・オフを制御することを特徴とする携帯電話機。
【請求項２】
前記タッチスイッチは、第一のタッチスイッチと第二のタッチスイッチを備え、前記キーロック制御部は、前記第一のタッチスイッチと第二のタッチスイッチの操作順序に基づいてキーロック設定のオン、オフを制御することを特徴とする請求項１に記載の携帯電話機。
【請求項３】
前記携帯電話機は、ストレートタイプの本体構造を有し、前記タッチスイッチは携帯電話機本体の側面に設けられたことを特徴とする請求項１または請求項２に記載の携帯電話機。
【発明の詳細な説明】
【技術分野】
【０００１】
本発明は、キー入力操作を無効にするキーロック機能を有する携帯電話機に関するものであり、特に携帯電話機の本体にタッチパネルにより構成したキーロック操作部を設け、タッチパネルの操作によりキーロックのオン・オフを設定するようにした携帯電話機に関するものである。
【背景技術】
【０００２】
近年の情報処理技術、通信技術の発展に伴い種々の携帯型の情報通信端末装置が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続して業務上必要な情報を取得したりすることができる。
【０００３】
最近では、携帯電話機のハード、ソフト機能が充実し、従来の携帯端末装置の機能を兼ねるようになってきており、携帯電話機の普及率の拡大にはめざましいものがある。携帯電話機を利用したデータ通信サービスを提供する事業者も増加しており、携帯電話機を利用してバンキング、インターネット販売、ナビゲーション、交通機関やコンビニエンスストアなどの代金決済など様々なサービスを受けることができるようになってきている。特に携帯電話機においては種々のオプションやアプリケーションが搭載可能であり、利用できるサービスの種類も豊富になってきている。
【０００４】
従来から携帯電話機を置き忘れたり、紛失したり、あるいは盗難にあった場合に第３者により不正に使用されたり、携帯電話機に蓄積した個人情報が悪用されたりする危険性が指摘されており、携帯電話機の紛失、盗難に備えて、通常は携帯電話機が正規の所有者しか利用できないようにする手段が種々提案されている。
【０００５】
例えば、携帯電話機が備えている機能事ごとに正規の所有者が任意のパスワードを設定し、パスワードチェックを行った上で当該機能を作動する方法、携帯電話機のキー入力操作を無効にするキーロックの設定、解除のための機能を備える方法などが提案されている。このような機能は、携帯電話機の機能が拡大、充実するに伴ってこの種の機能の重要性が高まってきている。
【０００６】
また、携帯電話機には折り畳みタイプの本体構成を持つものと、ストレートタイプの本体構造を持つものがある。折り畳みタイプの本体構成を持つ携帯電話機の場合、キーや各種操作ボタン類は折り畳んだ場合に内側になる位置に設けられており、所有者が意図しない状態でキーやボタンが操作されてしまうことはない。一方、ストレートタイプの本体構造を持つ携帯電話機野場合にはキーやボタンが本体の外側表面に設けられているため、例えば、鞄の中やポケットの中で指が触れたり、本体が移動したりしたはずみで意図しないにもかかわらず操作状態になってしまうことがある。
【０００７】
従って、ストレートタイプの本体構造を持つ携帯電話機の場合、紛失や盗難のためのキーロック機能以外にも、キーやボタン類が所有者の意図しない状態で操作状態になってしまった場合にも、当該意図しないキー操作を無効にできる機能が必要である。
【０００８】
キーロックスイッチを設けて各種キーの操作を無効にし、または、解除するようにした携帯電話機は、例えば、下記の特許文献１（特開２００６−５００３３号公報）に開示されている。この携帯電話機は、マナーモードの設定とキーロックの設定を同一または異なるキーロックスイッチを用いて行えるように設定できるようにした携帯電話機である。
【０００９】
すなわち、上記特許文献１に開示された携帯電話機の発明は、携帯電話機本体にキーロックスイッチを設け、このキーロックスイッチを操作することにより、キー操作無効設定を目的としたキーロックの設定と、少なくとも着信音の鳴動を抑止するマナーモードの設定とを連動して行わせるように構成したものである。また、連動動作の有無は、初期設定でユーザが選択可能とするか、キーロックスイッチとは別にマナーモードの設定のみを行うマナーキーを設けて連動させるようにされている。
【特許文献１】特開２００６−５００３３号公報（図１）
【発明の開示】
【発明が解決しようとする課題】
【００１０】
前述したように、上記特許文献１に開示された携帯電話機の発明は、キーロックスッチが携帯電話機本体に設けられており、キーロックスイッチを操作することにより、キー操作無効設定を目的としたキーロックの設定と、少なくとも着信音の鳴動を抑止するマナーモードの設定とを連動して行わせるものである。
【００１１】
このように、携帯電話機本体にキーロックスイッチを設け、このキーロックスイッチを操作することによりー操作無効設定を目的としたキーロックの設定を行うようにした場合、鞄の中やポケットの中でキーロックスイッチに指が触れたり、本体が移動したりしたはずみで意図しないスイッチの動作が生じた場合にはキーロックが解除されてしまうという問題点があった。
【００１２】
上記特許文献１に開示された携帯電話機は折り畳みタイプの本体構成を持つものであるが、ストレートタイプの携帯電話機にキーロックスイッチを設けた場合には、特に上記のような誤動作が発生し易くなる。
【００１３】
本願の発明者は上記の問題点を解消すべく種々検討を重ねた結果、携帯電話機本体にキーロック操作のためのタッチスイッチを設けることにより上記の問題点を解消し得ることに想到して本発明を完成するに至ったものである。特に、ストレートタイプの本体構成を持つ携帯電話機においてはタッチパネルスイッチによりキーロック機能のオン・オフを設定するようになせば、ご操作が生ずる危険を回避できるにようになる。
【００１４】
すなわち、本発明は上記の問題点を解消することを課題とし、所有者の意図しない状態においてキーロックを設定したり、解除したりされることがない携帯電話機を提供することを目的とするものである。
【課題を解決するための手段】
【００１５】
前記課題を解決するために、本願の請求項１にかかる発明は、操作キー、入力キーを有する操作入力手段を備えた携帯電話機において、前記携帯電話機は、携帯電話機本体の外側にタッチ面を有するタッチスイッチと、キーロック制御部と、を備え、前記キーロック制御部は、前記タッチスイッチが操作されたことによる検出信号により、前記操作入力手段からの入力を無効にするキーロック設定のオン・オフを制御することを特徴とする。
【００１６】
また、本願の請求項２にかかる発明は、請求項１にかかる携帯電話機前記において、タッチスイッチは、第一のタッチスイッチと第二のタッチスイッチを備え、前記キーロック制御部は、前記第一のタッチスイッチと第二のタッチスイッチの操作順序に基づいてキーロック設定のオン、オフを制御することを特徴とする。
【００１７】
また、本願の請求項3にかかる発明は、請求項１または請求項２にかかる携帯電話機において、前記携帯電話機は、ストレートタイプの本体構造を有し、前記タッチスイッチは携帯電話機本体の側面に設けられたことを特徴とする。
【発明の効果】
【００１８】
請求項１にかかる発明においては、携帯電話機は、携帯電話機本体の外側にタッチ面を有するタッチスイッチと、キーロック制御部と、を備え、前記キーロック制御部は、前記タッチスイッチが操作されたことによる検出信号により、前記操作入力手段からの入力を無効にするキーロック設定のオン・オフを制御する。このような構成によれば、キーロックのオン・オフ制御ためのスイッチをタッチスイッチとしたので、鞄の中やポケットの中で指が触れたり、本体が移動したりしたはずみで意図しないスイッチの動作を生じることがない。従って、意図しない状態で携帯電話機のキーロックが設定されたり、解除されたりすることがなくなり、誤操作を生ずることがなくなる。
【００１９】
また、請求項２にかかる発明においては、第１のタッチスイッチと第２のタッチスイッチを備え、前記キーロック制御部は、前記第１のタッチスイッチと第２のタッチスイッチの操作順序に基づいてキーロック設定のオン、オフを制御することができるため、意図しない状態で携帯電話機のキーロックが設定されたり、解除されたりすることがなくなり、更に誤操作を生ずることがなくなる。
【００２０】
また、請求項３にかかる発明においては、請求項１または請求項２にかかる携帯電話機において、前記携帯電話機は、ストレートタイプの本体構造を有し、前記タッチスイッチは携帯電話機本体の側面に設けられている。従って、操作キー、入力キーが携帯電話機本体の外側に露出しているストレートタイプの本体構造を有する携帯電話機において、意図しない状態で携帯電話機のキーロックが設定されたり、解除されたりすることがなくなり、誤操作を生ずることがなくなる。
【発明を実施するための最良の形態】
【００２１】
以下、本発明の具体例を実施例及び図面を用いて詳細に説明する。但し、以下に示す実施例は、本発明の技術思想を具体化するための携帯電話機を例示するものであって、本発明をこの携帯電話機に特定することを意図するものではなく、特許請求の範囲に含まれるその他の実施形態の携帯電話機にも等しく適用し得るものである。
【実施例１】
【００２２】
図１は、本発明の実施例１に係る携帯電話機の概略構成を示すブロック図である。図１に示すように、携帯電話機は、アンテナ２と接続された通信部１を備えている。この通信部１は、後述のベースバンド部１０からの信号を、アンテナ２を介して基地局へ発信し、あるいはアンテナ２を介して基地局からの電波を受信する。
【００２３】
通信部１は、ベースバンド部１０と接続されている。ベースバンド部１０は、ＣＤＭＡ処理回路１１と、音声コーデック１２と、を有している。ここで、ＣＤＭＡ処理回路１１は、符号分割多元接続、スクランブル、誤り制御、タイミング検出を行う。また、音声コーデック１２は、音声を圧縮（符号化）、伸張（復号化）したり、アナログとデジタルの変換を行ったり、内部の増幅回路（図示省略）により受話音量やマイクロホンの感度を変更する。
【００２４】
また、ベースバンド部１０には、切替回路２０が接続されている。この切替回路２０には、増幅回路２１を介して第１スピーカ２２が接続されている。この第１スピーカ２２は、増幅回路２１で増幅されたベースバンド部１０の電気信号を音声に変換する。この第１スピーカ２２は、ユーザの耳にあてて通話に使用される。
【００２５】
切替回路２０には、増幅回路２３を介してマイクロホン２４が接続されている。このマイクロホン２４は、通話に使用され、音声を電気信号に変換する。マイクロホン２４により入力された電気信号は、増幅回路２３で増幅されてベースバンド部１０に出力される。
【００２６】
また、切替回路２０には、増幅回路２５を介して第２スピーカ２６が接続されている。この第２スピーカ２６は、増幅回路２５で増幅されたベースバンド部１０の電気信号を音声に変換する。この第２スピーカ２６は、受話音を周囲の人にも聞かせるための拡声用のスピーカである。また、第２スピーカ２６は、着信報知の鳴動も行う。なお、これらの３つの増幅回路２１，２３，２５は、ゲインを固定しており、第１スピーカ２２及び第２スピーカ２６の音量やマイクロホン２４の感度を変更することはできないようになっている。
【００２７】
この切替回路２０は、ベースバンド部１０との接続を、第１スピーカ２２用の増幅回路２１とマイクロホン２４用の増幅回路２３側にするか、あるいは拡声用の第２スピーカ２６用の増幅回路２５とマイクロホン２４用の増幅回路２３側にするかを切り替える。
【００２８】
通信部１、ベースバンド部１０、切替回路２０は、それぞれ制御回路３０に接続されている。制御回路３０には、ＲＯＭ３１，ＲＡＭ３２が接続されており、ＲＯＭ３１には、制御回路３０を動作させるためのシステムプログラムが格納され、ＲＡＭ３２は、制御回路３０の動作に必要な各種情報が記憶される。
この制御回路３０の制御により上述した切替回路２０による切り替えが行われる。また、制御回路３０によりベースバンド部１０の音声コーデック１2が制御され、音声コーデック１２により第１スピーカ２２及び第２スピーカ２６の音量やマイクロホン２４の感度が変更される。
【００２９】
また、この制御回路３０には、入力部４０が接続されている。入力部４０は、電話番号等の入力を行うテンキー４１と、通話の開始を操作する通話キー４２と、通話の終了を操作する切キー４３と、ＯＫキー４４と、クリアキー４５とを有している。
【００３０】
更に、制御回路３０には、例えば液晶パネルからなるディスプレイ５０と、そのバックライトとして、例えばＬＥＤ素子からなる照明部５１が接続されている。このディスプレイ５０により、各種文字情報や画像情報が表示される。
【００３１】
携帯電話機にはキーロック機能のオン、オフを設定するためのタッチスイッチ６０が設けられており、このタッチスイッチ６０は後述するようにタッチ面が携帯電話機本体の外側になるように設けられている。そして、制御回路３０には、タッチスイッチ６０からの入力信号により、キーロックのオン・オフを制御するキーロック制御部３５が備えられている。
【００３２】
タッチスイッチ６０が指でタッチされると、タッチスイッチ検出信号がキーロック制御部３５に送られ、キーロック制御部３５は、最初のタッチスイッチ検出信号によりよりキーロック機能をオンに設定する。次にタッチスイッチ６０が指でタッチされると、タッチスイッチ検出信号がキーロック制御部３５に送られ、キーロック制御部３５はキーロック機能をオフに設定する。キーロック機能がオンに設定されると入力部４０からの入力信号は無効にされ携帯電話機を操作することができなくなる。また、キーロック機能がオフンに設定されると入力部４０からの入力信号が有効となり携帯電話機を操作することが可能になる。
【００３３】
また、キーロックのオン・オフの切り替わりの際には、スピーカー２２、２６からの音による確認、バイブレーター機能（図示省略）による確認、または照明部５１の点滅等によりディスプレイからの確認を利用してもよい。
【００３４】
図２は、本発明の実施例１にかかる携帯電話機の外観を示す図である。この携帯電話機はストレートタイプの本体構造を有する携帯電話機であり、タッチスイッチ６０を携帯電話機本体の側面に設けたものである。図２（ａ）は携帯電話機の側面図、図２（ｂ）は携帯電話機の正面図である。
【００３５】
図２において、携帯電話機はアンテナ２、ディスプレイ５０、入力部４０を備えており、タッチスイッチ６０が携帯電話機本体の側面に設けられている。タッチスイッチ６０が指で操作されタッチスイッチ検出信号がキーロック制御部３５（図１参照）に入力されると、キーロック制御部３５は、前述したような制御によりキーロック機能のオン・オフを設定する。
【００３６】
すなわち、タッチスイッチ６０が指でタッチされると、タッチスイッチ検出信号がキーロック制御部３５に送られ、キーロック制御部３５は、最初のタッチスイッチ検出信号によりよりキーロック機能をオンに設定する。次にタッチスイッチ６０が指でタッチされると、タッチスイッチ検出信号がキーロック制御部３５に送られ、キーロック制御部３５はキーロック機能をオフに設定する。キーロック機能がオンに設定されると入力部４０からの入力信号は無効にされ携帯電話機を操作することができなくなる。
【実施例２】
【００３７】
図３は、本発明の実施例２に係る携帯電話機の概略構成を示すブロック図である。この携帯電話機の構成は、基本的に図１に示す携帯電話機と同様であるが、タッチスイッチ６０を第一タッチスイッチ６１と第二タッチスイッチ６２で構成したものである。また、キーロック制御部３５が第一タッチスイッチ６１と第二タッチスイッチ６２の操作順を検出してキーロックのオン・オフを制御する点が異なる。図３において、図１と同一の構成要素は同一の参照符号を付している。それらの構成要素の説明は重複を避けるこめ省略する。
【００３８】
図４は、本発明の実施例２にかかる携帯電話機の外観を示す図である。この携帯電話機はストレートタイプの本体構造を有する携帯電話機であり、第一タッチスイッチ６１と第二タッチスイッチ６２を携帯電話機本体の側面に設けたものである。図４（ａ）は携帯電話機の側面図、図４（ｂ）は携帯電話機の正面図である。
【００３９】
図４（ａ）に示すように第一タッチスイッチ６１と第二タッチスイッチ６２は隙間７０を挟んで携帯電話機本体の側面に設けられている。各タッチスイッチが指でタッチ操作されると、タッチスイッチ検出信号がキーロック制御部３５に送られる。
【００４０】
図５は、キーロック制御部３５によるキーロック制御系を示す図である。図５に示すように、第一タッチスイッチ６１からのタッチスイッチ検出信号と、第二タッチスイッチ６２からのタッチスイッチ検出信号はキーロック制御部３５に送られ、キーロック制御部３５は、タッチスイッチ検出信号の順序を検出する。すなわち、第一タッチスイッチ６１と第二タッチスイッチ６２の操作の順序を検出する。
【００４１】
図６は、第一タッチスイッチ６１と第二タッチスイッチ６２の操作順序を示す模式図である。図６（ａ）は、第一タッチスイッチ６１、第二タッチスイッチ６２の順に操作されたことを示す図、図６（ｂ）は、第二タッチスイッチ６１、第一タッチスイッチ６２の順に操作されたことを示す図である。
【００４２】
キーロック制御部３５は、図６（ａ）に示すように、第一タッチスイッチ６１、第二タッチスイッチ６２の順に操作された場合、すなわち第一タッチスイッチ６１のタッチスイッチ検出信号、第二タッチスイッチ６２のタッチスイッチ検出信号の順で検出信号が入力された場合キーロックオン信号（図５参照）を送出してキーロック機能の設定を「オン」にする。これにより入力部５０のキー操作があっても無効とされ、携帯電話機は操作できない状態にロックされる。
【００４３】
また、キーロック制御部３５は、図６（ｂ）に示すように、第二タッチスイッチ６２、第一タッチスイッチ６１の順に操作された場合、すなわち第二タッチスイッチ６２のタッチスイッチ検出信号、第一タッチスイッチ６１のタッチスイッチ検出信号の順で検出信号が入力された場合、キーロックオフ信号（図５参照）を送出してキーロック機能の設定を「オフ」にする（キーロックを解除する）。これにより入力部５０のキー操作が有効にとされ、携帯電話機は操作できる状態に戻る。
【００４４】
以上説明したように、上記実施例２にかかる携帯電話機によれば、第一タッチスイッチ６１、第二タッチスイッチ６２の操作順によってキーロックの設定と解除が行われるため、実施例１の携帯電話機に比較して、更に意図しない状態でキーロックが設定されたり、解除されたりすることを無くすことができるようになる。
【図面の簡単な説明】
【００４５】
【図１】本発明の実施例１に係る携帯電話機の概略構成を示すブロック図である。
【図２】本発明の実施例１にかかる携帯電話機の外観を示す図であり、図２（ａ）は携帯電話機の側面図、図２（ｂ）は携帯電話機の正面図である。
【図３】本発明の実施例２に係る携帯電話機の概略構成を示すブロック図である。
【図４】本発明の実施例２にかかる携帯電話機の外観を示す図であり、図４（ａ）は携帯電話機の側面図、図４（ｂ）は携帯電話機の正面図である。
【図５】本発明の実施例２にかかる携帯電話機のキーロック制御部によるキーロック制御系を示す図である。
【図６】図４におけるタッチスイッチの操作順を示す模式図であり、図６（ａ）は、第一タッチスイッチ６１、第二タッチスイッチ６２の順に操作されたことを示す図、図６（ｂ）は、第二タッチスイッチ６１、第一タッチスイッチ６２の順に操作されたことを示す図である。
【符号の説明】
【００４６】
１・・・・通信部
２・・・・アンテナ
１０・・・ベースバンド部
１１・・・ＣＤＭＡ処理回路
１２・・・音声コーデック
２０・・・切替回路
２１・・・増幅回路
２２・・・第一スピーカ
２３・・・増幅回路
２４・・・マイクロホン
２５・・・増幅回路
２６・・・第二スピーカ
３０・・・制御回路
３１・・・ＲＯＭ
３２・・・ＲＡＭ
４０・・・入力部
４１・・・テンキー
４２・・・通話キー
４３・・・切キー
４４・・・ＯＫキー
４５・・・クリアキー
５０・・・ディスプレイ
５１・・・照明部
６０・・・タッチスイッチ
６１・・・第一タッチスイッチ
６２・・・第二タッチスイッチ
７０・・・隙間
【図１】
2008244743.tif 000003
【図２】
2008244743.tif 000004
【図３】
2008244743.tif 000005
【図４】
2008244743.tif 000006
【図５】
2008244743.tif 000007
【図６】
2008244743.tif 000008